(57)【特許請求の範囲】
【請求項１】
各監視範囲における火災発生を１または複数の火災検知器によって監視している場合において、上記各火災検知器に対する試験を行ない、この試験の結果に関する移報を行なう、火災検知器の試験システムであって、
上記試験を行なう試験時刻を記憶する試験時刻記憶手段と、
上記移報を行なう移報時刻を記憶する移報時刻記憶手段と、
上記移報の内容を記憶する移報内容記憶手段と、
上記試験時刻記憶手段に記憶された試験時刻に上記試験を行なうための処理を行ない、上記移報を行なう必要が生じた場合には、この移報の内容を上記移報内容記憶手段に記憶させ、この移報内容記憶手段に記憶された移報の内容に基づいて、上記移報を上記移報時刻記憶手段に記憶された移報時刻に行なう試験処理手段と、を備え、
上記試験処理手段は、上記試験を行なった結果、１つの監視範囲に対応する全ての上記火災検知器に汚損が生じている場合には、上記移報時刻を待つことなく上記移報を行なうこと、
を特徴とする火災検知器の試験システム。
【請求項２】
各監視範囲における火災発生を１または複数の火災検知器によって監視している場合において、上記各火災検知器に対する試験を行ない、この試験の結果に関する移報を行なう、火災検知器の試験システムであって、
上記試験を行なう試験時刻を記憶する試験時刻記憶手段と、
上記移報を行なう移報時刻を記憶する移報時刻記憶手段と、
上記移報の内容を記憶する移報内容記憶手段と、
上記試験時刻記憶手段に記憶された試験時刻に上記試験を行なうための処理を行ない、上記移報を行なう必要が生じた場合には、この移報の内容を上記移報内容記憶手段に記憶させ、この移報内容記憶手段に記憶された移報の内容に基づいて、上記移報を上記移報時刻記憶手段に記憶された移報時刻に行なう試験処理手段と、を備え、
上記試験処理手段は、上記試験を行なった結果、上記火災検知器のいずれか１つでも故障を検出した場合、上記移報時刻を待つことなく上記移報を行なうこと、
を特徴とする火災検知器の試験システム。
【請求項３】
上記試験処理手段は、上記移報時刻に移報を行なう場合には、当該移報を行なう必要を生じさせた火災検知器に対して上記試験を再度行ない、この試験において上記移報を行なう必要が生じた場合にのみ、上記移報を行なうこと、
を特徴とする請求項１または２に記載の火災検知器の試験システム。
【請求項４】
上記火災検知器の試験システムは、上記火災検知器に対して通信可能に接続される受信盤として構成され、
上記試験処理手段は、上記試験を行なわせるための信号を上記試験時刻に上記火災検知器に送信し、上記火災検知器から送信された試験の結果に関する信号に基づいて、上記移報の内容を上記移報内容記憶手段に記憶させ、この移報内容記憶手段に記憶された移報の内容に基づいて、上記移報を上記移報時刻に所定の制御盤に対して行なうこと、
を特徴とする請求項１から３のいずれか一項に記載の火災検知器の試験システム。
【請求項５】
上記試験処理手段は、上記火災検知器に対して通信可能に接続された受信盤に設けられており、上記移報を行なう必要が生じた場合には、上記受信盤から離れた位置に配置された遠方監視制御盤に直ちに移報を行い、
上記移報時刻記憶手段は、上記遠方監視制御盤に設けられており、
上記遠方監視制御盤は、上記移報時刻記憶手段に記憶された移報時刻に、上記受信盤から受信した移報の内容を出力すること、
を特徴とする請求項１から３のいずれか一項に記載の火災検知器の試験システム。
【発明の詳細な説明】
【０００１】
【発明の属する技術分野】
本発明は、火災検知器に対する試験を行ない、この試験の結果に応じて移報を行なうための火災検知器の試験システムに関し、特に、試験タイミングと移報タイミングに特徴を有する火災検知器の試験システムに関する。
【０００２】
【従来の技術】
今日では、火災を検知するための火災検知器が広く普及している。このような火災検知器は、誤作動等することなく常時正常に機能することが求められる。そこで、火災検知器の機能の正常性についての試験を行なうため、火災検知器の試験システムが提案され実用化されている。例えば、トンネル内における火災を検知する火災検知器は、トンネル壁面に設置されており、トンネル内を走行する自動車の排気ガス等によって汚れ易い。このため、この汚れの程度を検知して必要な対応を取るための試験システムを備えている。
【０００３】
このような従来の試験システムの一例について説明する。図９は、トンネル内における火災を検知する火災検知器についての試験システムの全体構成を示す図である。この図９に示すように、トンネル１００の内部には、複数の火災検知器２００が所定間隔で配置されている。この火災検知器２００は、火災時に発生するＣＯ2の共鳴により発生する赤外線放射を検知する火災検知器である。また、トンネル１００の近傍には、試験システムを構成する防災受信盤３００が設置されている。さらに、この防災受信盤３００から離れた位置には、遠方監視制御盤４００が配置されている。
【０００４】
このような構成において、各火災検知器２００は火災を検知すると、火災検知信号を防災受信盤３００に出力する。この火災検知信号を受けた防災受信盤３００は、火災が検知された旨等を遠方監視制御盤４００に移報する。この遠方監視制御盤４００は、管理者によって監視されており、防災受信盤３００から移報を受けた場合には、管理者が火災消火や交通管制に必要な作業を行なう。
【０００５】
ここで、防災受信盤３００には、火災検知器２００の試験を行なうための試験機能が備えられている。具体的には、所定の試験時刻になると、複数の火災検知器２００に対して、順次、試験信号を送信する。この試験信号を受信した火災検知器２００は、自己に設けられている試験ランプを点灯させることによって、火災発生時の外部光の状態を擬似発生させる。そして、防災受信盤３００は、この試験ランプの光の受光量を受信し、この受光量に基づいて、火災試験を行うと共に、火災検知器２００の受光面の汚れ具合等を判断している。ここで、受光量が少ない場合には、受光面が汚れており、受光量を補正する必要があると判断して、受光素子の増幅率を調整して補償を行なっている。
【０００６】
【発明が解決しようとする課題】
しかしながら、このような試験を行なう場合には、試験を行なう時間帯に留意する必要がある。
すなわち、試験ランプを点灯させた際に、火災検知器２００の近傍を大型車が通過した場合等には、この大型車のヘッドランプの光が受光面に入射してしまい、試験ランプ単独の場合よりも受光量が大きくなってしまう場合がある。このような場合には、受光面が汚れているにも関わらず汚れていないものと判断され、補償が行なわれない結果、火災が正確に検知できなくなるという危険性がある。したがって、この観点からは、自動車の通行量が極力少ない時間帯に試験を行なうことが好ましい。
ただし、自動車の通行量が最も少ない朝方は、結露が生じ易いために受光量が不正確になる可能性がある。
これらのことから、通行量がある程度少なくて、さらに結露が生じ難い、深夜に試験を行なうことが最も好ましいと考えられる。
【０００７】
その一方、上述のように深夜に試験を行なった場合には、新たな問題が生じる。
すなわち、深夜は、遠方監視制御盤４００を監視している管理者が昼間に比べて少ないため、試験の結果、火災検知器２００の異常が検知された場合であっても、この異常に対応することが困難である。
したがって、従来は、上記各事情を複合的に考慮して、昼間に試験を行なわざるをえなかった。
【０００８】
本発明は上記問題に鑑みてなされたもので、火災検知器の試験と、この試験の結果の移報との両方を、それぞれ最適な時間に行なうことを可能にする、火災検知器の試験システムを提供することを目的としている。
【０００９】
このような目的を達成するため、請求項１に記載の火災検知器の試験システムは、各監視範囲における火災発生を１または複数の火災検知器によって監視している場合において、上記各火災検知器に対する試験を行ない、この試験の結果に関する移報を行なう、火災検知器の試験システムであって、上記試験を行なう試験時刻を記憶する試験時刻記憶手段と、上記移報を行なう移報時刻を記憶する移報時刻記憶手段と、上記移報の内容を記憶する移報内容記憶手段と、上記試験時刻記憶手段に記憶された試験時刻に上記試験を行なうための処理を行ない、上記移報を行なう必要が生じた場合には、この移報の内容を上記移報内容記憶手段に記憶させ、この移報内容記憶手段に記憶された移報の内容に基づいて、上記移報を上記移報時刻記憶手段に記憶された移報時刻に行なう試験処理手段と、を備え、上記試験処理手段は、上記試験を行なった結果、１つの監視範囲に対応する全ての上記火災検知器に汚損が生じている場合には、上記移報時刻を待つことなく上記移報を行なうことを特徴とする。
【００１０】
このシステムによれば、試験時刻に試験を行なうための処理が行なわれ、移報を行なう必要が生じた場合には、この移報の内容が記憶され、移報時刻に移報が行なわれる。したがって、試験と移報の時間を相互に別の時間にすることができ、例えば、試験は交通量の少ない深夜等に行なうと共に、移報は管理者が多い昼間に行なう等、試験と移報とをいずれも最適なタイミングで行なうことが可能になる。
また、このシステムによれば、１つの監視範囲に対応する全ての火災検知器に汚損が生じている場合には、移報時刻を待つことなく、直ちに移報が行なわれる。したがって、各監視範囲において火災検知器による監視に空白状態が生じることを防止することができ、防災上の信頼性を確保することができる。
【００１１】
また、請求項２に記載の火災検知器の試験システムは、各監視範囲における火災発生を１または複数の火災検知器によって監視している場合において、上記各火災検知器に対する試験を行ない、この試験の結果に関する移報を行なう、火災検知器の試験システムであって、上記試験を行なう試験時刻を記憶する試験時刻記憶手段と、上記移報を行なう移報時刻を記憶する移報時刻記憶手段と、上記移報の内容を記憶する移報内容記憶手段と、上記試験時刻記憶手段に記憶された試験時刻に上記試験を行なうための処理を行ない、上記移報を行なう必要が生じた場合には、この移報の内容を上記移報内容記憶手段に記憶させ、この移報内容記憶手段に記憶された移報の内容に基づいて、上記移報を上記移報時刻記憶手段に記憶された移報時刻に行なう試験処理手段と、を備え、上記試験処理手段は、上記試験を行なった結果、上記火災検知器のいずれか１つでも故障を検出した場合、上記移報時刻を待つことなく上記移報を行なうことを特徴とする。
【００１２】
このシステムによれば、試験時刻に試験を行なうための処理が行なわれ、移報を行なう必要が生じた場合には、この移報の内容が記憶され、移報時刻に移報が行なわれる。したがって、試験と移報の時間を相互に別の時間にすることができ、例えば、試験は交通量の少ない深夜等に行なうと共に、移報は管理者が多い昼間に行なう等、試験と移報とをいずれも最適なタイミングで行なうことが可能になる。
また、このシステムによれば、火災検知器のいずれか１つでも故障を検出した場合には、移報時刻を待つことなく、直ちに移報が行なわれる。したがって、各監視範囲において火災検知器による監視に空白状態が生じることを防止することができ、防災上の信頼性を確保することができる。
【００１３】
また、請求項３に記載の火災検知器の試験システムは、請求項１または２に記載の火災感知器の試験システムにおいて、上記試験処理手段は、上記移報時刻に移報を行なう場合には、当該移報を行なう必要を生じさせた火災検知器に対して上記試験を再度行ない、この試験において上記移報を行なう必要が生じた場合にのみ、上記移報を行なうことを特徴とする。
【００１４】
このシステムによれば、移報時刻に移報を行なう場合には、当該移報を行なう必要を生じさせた火災検知器に対して試験が再度行なわれ、この試験において移報を行なう必要が生じた場合にのみ、移報が行なわれる。これは、移報を行なう前に確認のための試験を再度行なうものであり、この場合には、試験が不正確であった場合や、移報を行なう迄の間に異常状態が何らかの原因で解消されたような場合には、移報が行なわれないので、一層正確な試験システムを構築することができる。
【００１５】
また、請求項４に記載の火災検知器の試験システムは、請求項１から３のいずれか一項に記載の火災検知器の試験システムにおいて、上記火災検知器の試験システムは、上記火災検知器に対して通信可能に接続される受信盤として構成され、上記試験処理手段は、上記試験を行なわせるための信号を上記試験時刻に上記火災検知器に送信し、上記火災検知器から送信された試験の結果に関する信号に基づいて、上記移報の内容を上記移報内容記憶手段に記憶させ、この移報内容記憶手段に記憶された移報の内容に基づいて、上記移報を上記移報時刻に所定の制御盤に対して行なうことを特徴とする。
【００１６】
これは試験システムの構成例を一層具体的に示すものである。このシステムによれば、火災検知器との間において各種の信号を授受する受信盤に、試験システムの機能が統合されている。そして、移報を行なう必要が生じた場合には、この移報の内容が受信盤に一次的に保持され、移報時刻に、遠方監視制御盤等の所定の制御盤に対して、移報が行なわれる。
【００１７】
また、請求項５に記載の火災検知器の試験システムは、請求項１から３のいずれか一項に記載の火災検知器の試験システムにおいて、上記試験処理手段は、上記火災検知器に対して通信可能に接続された受信盤に設けられており、上記移報を行なう必要が生じた場合には、上記受信盤から離れた位置に配置された遠方監視制御盤に直ちに移報を行い、上記移報時刻記憶手段は、上記遠方監視制御盤に設けられており、上記遠方監視制御盤は、上記移報時刻記憶手段に記憶された移報時刻に、上記受信盤から受信した移報の内容を出力することを特徴とする。
【００１９】
【発明の実施の形態】
以下に、本発明にかかる火災検知器の試験システムの実施の形態を図面に基づいて詳細に説明する。この実施の形態においては、本システムを、トンネル内における火災を検知する火災検知器について試験を行なう場合に適用した例について説明する。なお、この実施の形態により本発明が限定されるものではない。
【００２０】
（概要）
まず、本試験システムにおいて試験が行なわれる火災検知システムの概要について説明する。
この火災検知システムは、概略的には、上記図９に示したように構成されている。
すなわち、トンネル１００の内部には、複数の火災検知器２００が所定間隔で配置されている。また、トンネル１００の近傍には防災受信盤３００が設置されており、この防災受信盤３００から離れた位置には遠方監視制御盤４００が配置されている。そして、各火災検知器２００から出力された火災検知信号が防災受信盤３００にて受信されると、この防災受信盤３００は遠方監視制御盤４００に移報を行なう。
【００２１】
この火災検知システムに試験を行なうための試験システムは、上記防災受信盤３００によって構成されている。この防災受信盤３００による試験システムは、概略的に、下記の特徴を有する。
すなわち、防災受信盤３００には、試験を行なうための時刻（以下、試験時刻）と、移報を行なうための時刻（以下、移報時刻）との２種類の時刻が記憶されている。そして、防災受信盤３００は試験時刻が到来した際に火災検知器２００の試験を行なうための所定の制御を行なう。そして、この試験によって移報を行なうべき異常が検知された場合には、移報の内容を一次的に記憶し、移報時刻が到来するのを待って、遠方監視制御盤４００への移報を行なう。
【００２２】
（機器構成−防災受信盤３００）
次に、各機器の具体的構成について説明する。
まず、防災受信盤３００の構成について説明する。図１は、この防災受信盤３００の構成例を示すブロック図である。この図１に示すように、防災受信盤３００は、概略的に、表示部３１０、入力部３２０、端末入出力部３９５、入出力インターフェース（以下、入出力ＩＦ）３３０、計時部３４０、記憶部３５０、通信ＩＦ３６０、ＲＯＭ３７０、ＲＡＭ３８０、および、制御部３９０を備えて構成されている。
【００２３】
このうち、表示部３１０は、防災受信盤３００の管理者に対して各種の表示を行うための表示手段である。また、入力部３２０は、管理者が防災受信盤３００に対して任意の指示等を入力するための入力手段である。
これら表示部３１０および入力部３２０の外観例を図２に示す。
この図２に示すように、表示部３１０は、時刻表示部３１１、および、障害表示部３１２を備えて構成されている。このうち、時刻表示部３１１は、試験時刻や移報時刻の設定や確認を行なう際に、これら各時刻と、当該各時刻が設定されている年月日、時分、および、曜日を表示する。また、障害表示部３１２は、各火災検知器２００の障害の内容を表示する。
また、図２においては、入力部３２０は、定期試験設定スイッチ３２１、時刻設定スイッチ３２２、送りキー３２３、プラスキー３２４、マイナスキー３２５、確定スイッチ３２６、臨時試験スイッチ３２７、および、障害送りスイッチ３２８を備えて構成されている。これら各キーおよび各スイッチの機能等については後述する。
これら表示部３１０および入力部３２０に対する各種信号は、入出力ＩＦ３３０を介して授受される。
【００２４】
また、記憶部３５０は、当該防災受信盤３００の諸機能を達成するために必要なプログラムやデータを不揮発的に記憶する記録手段である。特に、この記憶部３５０は、試験時刻記憶部３５１、移報時刻記憶部３５２、および、移報内容記憶部３５３を備えて構成されている。
このうち、試験時刻記憶部３５１は、上記試験時刻を記憶する。
また、移報時刻記憶部３５２は、上記移報時刻を記憶する。
そして、移報内容記憶部３５３は、遠方監視制御盤４００に対する移報の内容を記憶する。この移報の内容は任意であるが、例えば、この内容としては、火災情報、および、試験を行なった日時、異常がある火災検知器２００の後述する検知器番号、異常の内容を特定するための情報を含めることができる。
【００２５】
また、計時部３４０は、各時点における現在時刻を示す情報を生成する計時手段である。
また、通信ＩＦ３６０は、防災受信盤３００との間における火災検知信号や試験信号の通信を授受する。
また、ＲＯＭ３７０は、当該防災受信盤３００を制御するための各種のプログラムおよびパラメータ等を不揮発的に記憶する記憶手段である。
また、ＲＡＭ３８０は、当該防災受信盤３００を制御するための各種のプログラムおよびパラメータ等を揮発的に記憶する記憶手段である。
【００２６】
そして、制御部３９０は、当該防災受信盤３００の各部を制御する制御手段である。特に、制御部３９０は、機能概念的に、設定処理部３９１と試験処理部３９２とを備えて構成されている。
このうち、設定処理部３９１は、当該防災受信盤３００に対する各種のパラメータの設定に関する処理を行なう設定処理手段である。
また、試験処理部３９２は、各火災検知器２００に対する試験を行なうための所定の制御を行なう試験処理手段であり、概略的には、試験時刻記憶部３５１に記憶された時刻に、試験を行なうための試験信号を各火災検知器２００に対して出力する。そして、この試験の結果、移報を行なう必要が生じた場合には、この移報の内容を移報内容記憶部３５３に記憶させ、この移報内容記憶部３５３に記憶された移報の内容に基づいて、移報を移報時刻記憶部３５２に記憶された移報時刻に行なう。
【００２７】
（機器構成−火災検知器２００）
次に、火災検知器２００の構成について説明する。図４は火災検知器２００の正面図、図５は火災検知器２００の側面図である。これら図４、５に示すように、火災検知器２００は、概略的に、筐体２０１の正面に左右一対の受光窓２０２、２０３を備えて構成されており、各受光窓２０２、２０３の内側には、図示しない焦電素子が配置されている。そして、各受光窓２０２、２０３を介して、炎から発生する特定波長の赤外線放射を検出することで、火災発生の有無が検知される。
ここで、各受光窓２０２、２０３の上方には、図示しない試験ランプが各々の受光窓２０２、２０３に対して設けられており、防災受信盤３００からの試験信号に基づいて各試験ランプが点灯されることにより、火災発生時の外部光の状態を擬似発生させて、試験が行なわれる。
【００２８】
次に、この火災検知器２００の監視範囲について説明する。ただし、この監視範囲と、試験との関連については後述する。火災検知器２００は、図４、５に示すように、左右の略中央を境にして左右外向きに傾斜するように形成されており、向かって右側の受光窓２０２は右外側に向けられることによって右の監視範囲からの外部光を受光し、左側の受光窓２０３は左外側に向けられることによって左の監視範囲からの外部光を受光する。以下、このような左右の監視機能を、必要に応じて「右目」、「左目」と称する。
【００２９】
このような火災検知器２００による監視範囲についてさらに詳細に説明する。図６は監視範囲を説明するための図であり、(a）は火災検知器２００の単体での監視範囲を示す図、（ｂ）は複数の火災検知器２００の監視範囲を示す図である。
図６（a）に示すように、火災検知器２００の単体での監視範囲は、火災検知器２００を中心として左右にＬの範囲に及んでいる。
そして、図６（ｂ）に示すように、このような火災検知器２００が、間隔Ｌで並設されている。
【００３０】
ここで、各火災検知器２００には、当該火災検知器２００を一意に識別するための検知器番号１〜ｎが端から順に付与されている。
この場合、図６（ｂ）において、検知器番号１〜ｎの火災検知器２００の間の監視範囲は、隣接する２つの火災検知器２００によって二重に監視される範囲（二重監視範囲）である。
ただし、検知器番号１の火災検知器２００の右目の監視範囲と、検知器番号ｎの火災検知器２００の左目の監視範囲は、それぞれ一重に監視される範囲（一重監視範囲）である。
【００３１】
（処理の内容−設定処理）
このように構成された本システムにおいて行なわれる、各処理の内容について説明する。ここでは、大別して、試験時刻および移報時刻を設定する際の設定処理と、火災監視を行なう火災監視処理について説明する。
まず、設定処理について説明する。管理者が防災受信盤３００の定期試験設定スイッチ３２１を押すと、防災受信盤３００は、設定処理部３９１の制御下において、試験時刻および移報時刻を設定するための設定モードになる。
【００３２】
この設定モードにおける各時刻の設定手順を図３に示す。この図３に示すように、日曜日から土曜日までの各曜日について、試験時刻の開始時刻（時）および開始時刻（分）と、移報時刻の開始時刻（時）および開始時刻（分）とを設定することができる。各曜日と時刻の切り替えは、送りキー３２３を押すことによって順次行なうことができ、また、各時刻における時刻入力はプラスキー３２４およびマイナスキー３２５を用いて行なうことができる。その後、確定スイッチ３２６が押されると、各曜日毎に設定された試験時刻が試験時刻記憶部３５１に記憶され、移報時刻は移報時刻記憶部３５２に記憶される。以下、一例として、試験時刻を「２：００」、移報時刻を「９：００」に設定したものとを仮定する。これにて設定処理が終了する。なお、管理者が時刻設定スイッチ３２２を押すと、防災受信盤３００が現在時刻の設定モードになる。そして、管理者は上記と同様に現在時刻を設定することができ、この現在時刻は計時部３４０にて更新される。
【００３３】
（処理の内容−火災監視処理）
次に、火災監視処理について説明する。この処理の一例のフローチャートを図７に示す。この処理は制御部３９０の制御下において行なわれるもので、まず、各火災検知器２００の検知状態が公知のポーリング等によって監視される（ステップＳＡ−１）。そして、火災検知信号を受信した場合には、遠方監視制御盤４００へ直ちに移報が行なわれる。
その後、その時点における現在時刻を示す情報が計時部３４０から取得される（ステップＳＡ−２）。そして、試験時刻記憶部３５１から試験時刻「２：００」が呼び出され、この試験時刻「２：００」がステップＳＡ−２において取得した現在時刻に合致するか否か、すなわち、試験時刻「２：００」になったか否かが判断される（ステップＳＡ−３）。
【００３４】
そして、合致しない場合には、未だ試験を行なう時間でないと判断され、次に、移報時刻記憶部３５２から移報時刻「９：００」が呼び出される。
次いで、この移報時刻「９：００」がステップＳＡ−２において取得した現在時刻に合致するか否か、すなわち、移報時刻「９：００」になったか否かが判断される（ステップＳＡ−４）。そして、合致しない場合には、未だ移報を出力する時間でないと判断され、一連の処理が終了する。
以降、同様に、これら一連の処理が所定間隔で繰り返される。
【００３５】
ここで、ステップＳＡ−３において、試験時刻「２：００」になったと判断された場合には、試験処理部３９２の制御下において、試験処理が開始される（ステップＳＡ−５）。また、この他にも、図２の臨時試験スイッチ３２７が押された場合には、試験が開始される。
この処理の一例のフローチャートを図８に示す。この処理においては、検知器番号１から検知器番号ｎに至る各火災検知器２００について、順次、試験が行なわれる（ステップＳＢ−１〜ＳＢ−２）。
具体的には、まず、最初の火災検知器２００に対して試験信号が送信され、その右目の検知機能についての試験が行われる（ステップＳＢ−３）。すなわち、右目用の試験ランプを点灯させ、その際に右目の受光素子にて得られた受光量を火災検知器２００から取得する。
【００３６】
試験処理部３９２は、試験結果が正常であるか否かが判断される（ステップＳＢ−４）。すなわち、取得した受光量を所定の基準受光量と比較し、両者の差が、所定の閾値以内の場合には、右目が正常であると判断し、閾値以上の場合には、右目について何らかの異常があると判断する。
ここで、右目が正常である場合には、同様の試験を同一の火災検知器２００の左目について実施する（ステップＳＢ−５）。
そして、同じ火災検知器２００の左目についても正常である場合には（ステップＳＢ−６）、次の火災検知器２００の試験に移る。
【００３７】
ここで、ステップＳＢ−４またはステップＳＢ−６において、試験結果が正常でない場合、すなわち、受光量と基準受光量との差が、所定の閾値以上の場合には、移報の内容を表示および印刷する。この表示は、例えば、異常のあった火災検知器２００の検知器番号を図２の障害表示部３１２に表示することによって行なわれる。この時、表示すべき障害が複数ある場合には、管理者が障害送りスイッチ３２８を押すことにより、順次切り替えて表示される。また、印刷は、例えば、図示しないプリンタによって、異常のあった火災検知器２００の検知器番号やその試験日時等を印刷することによって行なわれる。この時、遠方監視制御盤４００への移報は行なわれることなく、移報の内容が移報内容記憶部３５３に記憶される。
【００３８】
ただし、試験を行なった結果が所定条件に該当する場合には、上記表示および印刷に加えて、移報時刻を待つことなく遠方監視制御盤４００への移報も直ちに行なわれる。このような所定条件としては、即座に移報を行なう必要性のある種々のものを設定することができる。ここでは、火災や故障を検出した場合、および、一つの監視範囲に対応する全ての火災検知器２００の受光部が汚損されていることが、この条件として設定されている。このような場合としては、下記のような３つのケースが考えられる。
すなわち、図６（ｂ）において、並設された火災検知器２００のうち、検知器番号１の火災検知器２００の右目に異常があった場合（第１の異常ケース）、検知器番号ｎの火災検知器２００の左目に異常があった場合（第２の異常ケース）、あるいは、各二重監視範囲を監視している隣接する火災検知器２００の隣接する目の両方（例えば、検知器番号１の火災検知器２００の左目と、検知器番号２の火災検知器２００の右目の両方）に異常があった場合（第３の異常ケース）を挙げることができる。
【００３９】
このような制御を行なうため、図８において、右目の試験において異常があった場合には、この火災検知器２００が検知器番号１の検知器であるか否かが確認される（ステップＳＢ−７）。ここで、検知器番号１の検知器である場合には、上記第１の異常ケースに該当するので、表示および印刷に加えて、遠方監視制御盤４００への移報が行なわれる（ステップＳＢ−８）。具体的には、移報内容を含んだ移報信号が遠方監視制御盤４００に送信され、この遠方監視制御盤４００において、火災検知器２００に異常があった旨を示す所定の表示等が行なわれる。
【００４０】
一方、ステップＳＢ−７において検知器番号１でない場合には、従前に試験を行なった火災検知器２００の左目が異常であるか否かが判断される（ステップＳＢ−９）。この判断は、従前の火災検知器２００の試験において、左目に異常があった際には、その旨を示すフラグｆを立てておき、このフラグｆの状態を本ステップＳＢ−９において参照することによって判断することができる。ここで、従前に試験を行なった火災検知器２００の左目が異常である場合には、上記第３の異常ケースに該当するので、表示および印刷に加えて、上記と同様に遠方監視制御盤４００への移報が行なわれる（ステップＳＢ−８）。
ただし、ステップＳＢ−９において、従前に試験を行なった火災検知器２００の左目が異常でない場合には、第１〜第３の異常ケースのいずれにも該当しないので、表示および印刷のみが行なわれ、移報の内容は移報内容記憶部３５３に記憶される（ステップＳＢ−１０）。
【００４１】
また、左目の試験において、試験結果に異常があった場合には（ステップＳＢ−６）、この火災検知器２００が検知器番号ｎの検知器であるか否かが確認される（ステップＳＢ−１１）。ここで、検知器番号ｎの検知器である場合には、上記第２の異常ケースに該当するので、左目異常のフラグｆを立てた後（ステップＳＢ−１２）、表示および印刷に加えて、上記と同様に遠方監視制御盤４００への移報が行なわれる（ステップＳＢ−１３）。
【００４２】
一方、ステップＳＢ−１１において検知器番号ｎでない場合には、第１〜第３の異常ケースのいずれにも該当しないので、左目異常のフラグｆを立てた後（ステップＳＢ−１４）、表示および印刷のみが行なわれ、移報の内容が移報内容記憶部３５３に記憶される（ステップＳＢ−１５）。
なお、左目異常のフラグｆは、ステップＳＢ−６からステップＳＢ−２に至る時点で０に初期化される（ステップＳＢ−１６）。
このような一連の処理を経て、試験処理が終了する。
【００４３】
再び、図７において、ステップＳＡ−４で移報時刻「９：００」になったと判断された場合には、試験処理部３９２の制御下において、移報処理が行なわれる。ここでは、移報内容記憶部３５３から移報内容が呼び出され、この移報内容を含んだ移報信号が遠方監視制御盤４００に送信される。そして、この遠方監視制御盤４００において、火災検知器２００に異常があった旨を示す所定の表示等が行なわれる。これにて移報処理が終了する。
【００４４】
さて、これまで本発明の実施の形態について説明したが、本発明は、上述した実施の形態以外にも、上記特許請求の範囲に記載した技術的思想の範囲内において種々の異なる実施の形態にて実施されてよいものである。
まず、上記の実施の形態においては、トンネル内の火災を検知するための火災検知器の試験を行なう場合に、本試験システムを適用した場合を示したが、火災検知器の監視対象、監視環境、検知原理等は、任意である。
また、上記の実施の形態においては、本試験システムを防災受信盤に設けた例を示しているが、本試験システムの機能は、火災検知器や、遠方監視制御盤に設けることもできる。例えば、防災受信盤から遠方監視制御盤に対しては、試験による異常発見時に直ちに移報を行い、遠方監視制御盤の方で、移報時刻になるのを待って、異常を出力するようにしてもよい。
【００４５】
また、上記の実施の形態においては、試験時刻と移報時刻をそれぞれ１つのみ設定する例を示しているが、これらはそれぞれ複数設定することも可能である。例えば、試験時刻を２つ設定して、異なる時刻に試験を行なうようにしてもよく、また、移報時刻を２つ設定して、各時刻において移報を行なうようにしてもよい。
また、本システムにおいては、移報を行なうような異常が生じた場合には、移報の直前に、この移報の信憑性を最終的に確認するようにしてもよい。具体的には、試験処理部は、移報処理において移報を行なう際、当該移報を行なう必要を生じさせた火災検知器に対して試験を再度行ない、この試験において移報を行なう必要が生じた場合にのみ（最初の試験結果と、最終の試験結果とのＡＮＤ条件によって、移報を行なう必要がある場合にのみ）、遠方監視制御盤への移報を行なうようにしてもよい。
【００４６】
その他、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
また、上記文書中や図面中で示した処理手順、制御手順、具体的名称、各種の登録データや検索条件等のパラメータを含む情報については、特記する場合を除いて任意に変更することができる。
【００４７】
【発明の効果】
以上に説明したように、本発明によれば、試験時刻に試験を行なうための処理が行なわれ、移報を行なう必要が生じた場合には、この移報の内容が記憶され、移報時刻に移報が行なわれる。したがって、試験と移報の時間を相互に別の時間にすることができ、例えば、試験は交通量の少ない深夜等に行なうと共に、移報は管理者が多い昼間に行なう等、試験と移報とをいずれも最適なタイミングで行なうことが可能になる。
【００４８】
また、本発明によれば、試験を行なった結果が所定条件に該当する場合には、移報時刻を待つことなく、直ちに移報が行なわれる。したがって、移報を行なう場合のうち、特に緊急度の高い場合には、直ちに移報を行なって管理者に緊急の対応を求めることができるので、火災検知器の信頼性を確保することができる。
【００４９】
また、本発明によれば、１つの監視範囲に対応する全ての火災検知器に異常が生じている場合には、移報時刻を待つことなく、直ちに移報が行なわれる。したがって、各監視範囲において火災検知器による監視に空白状態が生じることを防止することができ、防災上の信頼性を確保することができる。
【００５０】
また、本発明によれば、移報時刻に移報を行なう場合には、当該移報を行なう必要を生じさせた火災検知器に対して試験が再度行なわれ、この試験において移報を行なう必要が生じた場合にのみ、移報が行なわれる。これは、移報を行なう前に確認のための試験を再度行なうものであり、この場合には、試験が不正確であった場合や、移報を行なう迄の間に異常状態が何らかの原因で解消されたような場合には、移報が行なわれないので、一層正確な試験システムを構築することができる。
【図面の簡単な説明】
【図１】本発明の実施の形態における防災受信盤の構成例を示すブロック図である。
【図２】防災受信盤の表示部および入力部の外観例を示す図である。
【図３】防災受信盤の設定モードにおける各時刻の設定手順を示す図である。
【図４】火災検知器の正面図である。
【図５】火災検知器の側面図である。
【図６】監視範囲を説明するための図であり、(a）は火災検知器の単体での監視範囲を示す図、（ｂ）は複数のの火災検知器の監視範囲を示す図である。
【図７】火災監視処理の一例のフローチャートである。
【図８】試験処理の一例のフローチャートである。
【図９】トンネル内における火災を検知する火災検知器についての試験システムの全体構成を示す図である。
【符号の説明】
１００  トンネル
２００  火災検知器
２０１  筐体
２０２、２０３  各受光窓
３００  防災受信盤
３１０  表示部
３１１  時刻表示部
３１２  障害表示部
３２０  入力部
３３０  入出力インターフェース
３４０  計時部
３５０  記憶部
３５１  試験時刻記憶部
３５２  移報時刻記憶部
３５３  移報内容記憶部
３６０  通信ＩＦ
３７０  ＲＯＭ
３８０  ＲＡＭ
３９０  制御部
３９５  端末入出力部
４００  遠方監視制御盤
【図１】
0004712182.tif 000002
【図２】
0004712182.tif 000003
【図３】
0004712182.tif 000004
【図４】
0004712182.tif 000005
【図５】
0004712182.tif 000006
【図６】
0004712182.tif 000007
【図７】
0004712182.tif 000008
【図８】
0004712182.tif 000009
【図９】
0004712182.tif 000010